(57)【要約】【課題】情報記録装置に多数のボタンを配置すること。【解決手段】情報記録装置１は紙基板３０と、配線１８、１８ａとを備えている。紙基板３０の表面基板３０ａの外面２に第１ボタン３，４，６が設けられ、裏面基板３０ｂの外面に第２ボタン３Ａ，４Ａ，６Ａが設けられている。表面指定ボタン５を押圧することにより通信モジュール１０の制御部２２は配線１８、１８ａからの押圧情報が第１ボタン３，４，６からの押圧情報である旨、記憶部２１に記憶し、裏面指定ボタン５Ａを押圧することにより、制御部２２は配線１８，１８ａからの押圧情報が第２ボタン３Ａ，４Ａ，６Ａからの押圧情報である旨、記憶部２１に記憶する。【選択図】図２Ａ
2020057486.tif 000002
【特許請求の範囲】
【請求項１】
紙基板と、
前記紙基板上に設けられた配線と、
前記紙基板上に設けられ、前記配線に接続され、制御部と記憶部とを有する通信モジュールとを備え、
前記紙基板は前記配線が設けられた裏面基板と、この裏面基板上に重ね合わされた表面基板と、を備え、
前記表面基板の外面に、押圧情報を前記配線を介して前記通信モジュールに送る押圧可能な複数の第１ボタンが設けられ、
前記裏面基板の外面に、押圧情報を前記配線を介して前記通信モジュールに送る押圧可能な複数の第２ボタンが設けられ、
前記表面基板の外面または前記裏面基板の外面に、表面指定ボタンまたは裏面指定ボタンを設け、前記制御部は、前記表面指定ボタンが押圧された際、前記配線からの押圧情報は前記第１ボタンからの押圧情報である旨、前記記憶部に記憶するか、または前記裏面指定ボタンが押圧された際、前記配線からの押圧情報は前記第２ボタンからの押圧情報である旨、前記記憶部に記憶する、情報記録装置。
【請求項２】
前記表面基板の外面および前記裏面基板の外面に、各々表面指定ボタンおよび裏面指定ボタンを設け、前記制御部は前記表面指定ボタンが押圧された際、前記配線からの押圧情報は前記第１ボタンからの押圧情報である旨、前記記憶部に記憶し、かつ前記裏面指定ボタンが押圧された際、前記配線からの押圧情報は前記第２ボタンからの押圧情報である旨、前記記憶部に記憶する、請求項１記載の情報記録装置。
【請求項３】
前記表面指定ボタンと前記裏面指定ボタンは、互いに重ならない位置に配置されている、請求項１または２記載の情報記録装置。
【請求項４】
前記表面基板に設けられた前記第１ボタンと、前記裏面基板に設けられた前記第２ボタンは、互いに重なり合う位置に配置されている、請求項１乃至３のいずれか記載の情報記録装置。
【請求項５】
前記配線は複数のスイッチ接点を有し、前記表面基板の内面であって、前記第１ボタンおよび前記第２ボタンに重なり合う位置に、前記スイッチ接点を導通させる導電部が設けられている、請求項４記載の情報記録装置。
【請求項６】
前記紙基板は前記裏面基板と前記表面基板との間に介在されたスペーサ基板を備えた、請求項１乃至５のいずれか記載の情報記録装置。
【発明の詳細な説明】
【技術分野】
【０００１】
本開示の実施の形態は、ボタンの押圧情報を、通信モジュール内に記録するシート状の情報記録装置に関する。
【背景技術】
【０００２】
シート上に導電パターンをシルク印刷し、導電パターンの端子部に導電性接着剤を介して通信モジュールのパッドを電気的に接続したシート状の情報記録装置が実用化されている（特許文献１参照）。
【０００３】
特許文献１に開示された情報記録装置は、郵便物としてユーザに送付でき、受け取ったユーザが表紙を剥がすと、内側の頁には、いくつかの選択ボタンとその説明文が設けられており、説明文の内容にしたがって任意の選択ボタンを押圧すると、その情報が紙基板に埋め込まれた通信モジュールに記憶され、記憶された情報は近接無線通信でホスト装置で読み出せるようにしている。
【先行技術文献】
【特許文献】
【０００４】
【特許文献１】特表２００８−５１６２４８号公報
【発明の概要】
【発明が解決しようとする課題】
【０００５】
ところで、このようなシート状の情報記録装置において、情報記録装置に数多くの選択ボタンを設けたい要請がある。
【０００６】
しかしながら、通信モジュールの端子の数には限りがあるため、選択ボタンの数を増やすためには複数の情報記録装置を作製し、各情報記録装置に別個の選択ボタンを設ける必要がある。
【０００７】
本開示の実施の形態はこのような点を考慮してなされたものであり、多数の選択ボタンを配置することができる情報記録装置を提供することを目的とする。
【課題を解決するための手段】
【０００８】
本開示の実施の形態は、紙基板と、前記紙基板上に設けられた配線と、前記紙基板上に設けられ、前記配線に接続され、制御部と記憶部とを有する通信モジュールとを備え、前記紙基板は前記配線が設けられた裏面基板と、この裏面基板上に重ね合わされた表面基板と、を備え、前記表面基板の外面に、押圧情報を前記配線を介して前記通信モジュールに送る押圧可能な複数の第１ボタンが設けられ、前記裏面基板の外面に、押圧情報を前記配線を介して前記通信モジュールに送る押圧可能な複数の第２ボタンが設けられ、前記表面基板の外面または前記裏面基板の外面に、表面指定ボタンまたは裏面指定ボタンを設け、前記制御部は、前記表面指定ボタンが押圧された際、前記配線からの押圧情報は前記第１ボタンからの押圧情報である旨、前記記憶部に記憶するか、または前記裏面指定ボタンが押圧された際、前記配線からの押圧情報は前記第２ボタンからの押圧情報である旨、前記記憶部に記憶する、情報記録装置である。
【０００９】
本開示の実施の形態は、前記表面基板の外面および前記裏面基板の外面に、各々表面指定ボタンおよび裏面指定ボタンを設け、前記制御部は前記表面指定ボタンが押圧された際、前記配線からの押圧情報は前記第１ボタンからの押圧情報である旨、前記記憶部に記憶し、かつ前記裏面指定ボタンが押圧された際、前記配線からの押圧情報は前記第２ボタンからの押圧情報である旨、前記記憶部に記憶する、情報記録装置である。
【００１０】
本開示の実施の形態は、前記表面指定ボタンと前記裏面指定ボタンは、互いに重なり合わない位置に配置されている、情報記録装置である。
【００１１】
本開示の実施の形態は、前記表面基板に設けられた前記第１ボタンと、前記裏面基板に設けられた前記第２ボタンは、互いに重なり合う位置に配置されている、情報記録装置である。
【００１２】
本開示の実施の形態は、前記配線は複数のスイッチ接点を有し、前記表面基板の内面であって、前記第１ボタンおよび前記第２ボタンに重なり合う位置に、前記スイッチ接点を導通させる導電部が設けられている、情報記録装置である。
【００１３】
本開示の実施の形態は、前記紙基板は前記裏面基板と前記表面基板との間に介在されたスペーサ基板を備えた、情報記録装置である。
【発明の効果】
【００１４】
本開示の実施の形態によれば、情報記録装置に多数のボタンを配置することができる。
【図面の簡単な説明】
【００１５】
【図１】図１は本開示の実施形態に係る情報記録装置の外観図。
【図２Ａ】図２Ａは図１の情報記録装置の表面基板の外面を示す図。
【図２Ｂ】図２Ｂは図１の情報記録装置の裏面基板の外面を示す図。
【図３】図３は通信モジュールの概略構成を示すブロック図。
【図４】図４はＡＳＩＣの内部構成の一例を示すブロック図。
【図５】図５は図１の症状記録カードの使用手順の一例を示すフローチャート。
【図６】図６は症状記録カードの元となる紙基板を展開した図。
【発明を実施するための形態】
【００１６】
以下、本開示の実施の形態について、詳細に説明する。
【００１７】
本実施形態による情報記録装置は、患者が薬を服用した日時と服用後の具合を記録するものである。図１は本実施形態に係る情報記録装置の外観図である。図１の情報記録装置は、紙またはプラスチックシートからなるシート状の症状記録カード１であり、折り畳み式になっていて、展開すると図２Ａのような情報入力面となる表面基板３０ａの外面２、あるいは図２Ｂに示す表面基板３０ａの外面２と反対側の情報入力面となる裏面基板３０ｂの外面２Ａが現れる。
【００１８】
図１の症状記録カード１は、患者が病院での診察を終えたとき、患者に渡されるものである。この症状記録カード１では、患者が薬を服用した後に、患者自ら選択ボタンを押圧して、体の具合を記録できるようにしている。
【００１９】
図２Ａに示す症状記録カード１のうち、情報入力面となる表面基板３０ａの外面２は３面構成をもち、第１面２ａにはスタートボタン３と取り消しボタン４と表面指定ボタン５とが設けられ、第２面２ｂおよび第３面２ｃには患者の症状の度合いを入力するための選択ボタン６が配置されている。さらに第１面２ａの裏面側が後述する裏面基板３０ｂの外面のうち第１面２ａ１に対応する面である。
【００２０】
第２面２ｂおよび第３面２ｃには、薬の効用に関連する複数の症状が記載されている。図２Ａの例では、症状１、症状２、症状３、症状４、症状５…の計１０種類の症状が記載され、各症状ごとに、３通りの度合い（重度、中度、軽度）から一つを選択可能になっている。患者は、１０種類の症状に対応する選択ボタン６のいずれかを押圧する。これにより、患者は、特定の症状の度合いを入力できる。患者は、必ずしも１０種類の症状のすべてに回答する必要はなく、一部の症状のみに回答してもよい。
【００２１】
患者は、図２Ａに示す症状記録カード１の情報入力面２を初めて使用するときに、スタートボタン３を押圧する。その後、患者は、表面指定ボタン５を押圧し、症状の度合いに該当する選択ボタン６を押圧する。
【００２２】
患者が押圧したスタートボタン３，取り消しボタン４、および各選択ボタン６の情報は、症状記録カード１内に内蔵された通信モジュール１０に自動的に記憶される。ここで、図２Ａに示す情報入力面２の取り消しボタン４、および選択ボタン６は第１ボタンとなる。
【００２３】
また患者は図２Ｂに示す症状記録カード１の裏面基板３０ｂの外面（情報入力面）２Ａに対しても情報を入力することができる。
【００２４】
図２Ｂに示す症状記録カード１のうち、裏面基板３０ｂの外面２Ａは３面構成をもち、第１面２ａ１にはスタートボタン３Ａと取り消しボタン４Ａと裏面指定ボタン５Ａとが設けられ、第２面２ｂ１および第３面２ｃ１には、患者の症状の度合いを入力するための選択ボタン６Ａが配置されている。
【００２５】
第２面２ｂ１および第３面２ｃ１には、薬の効用に関連する複数の症状が記載されている。図２Ｂの例では、症状１１、症状１２、症状１３、症状１４、症状１５…の計１０種類の症状が記載され、各症状ごとに、３通りの度合い（重度、中度、軽度）から一つを選択可能になっている。患者は、１０種類の症状に対応する選択ボタン６Ａのいずれかを押圧する。これにより、患者は、薬を服用した後に特定の症状の度合いを入力できる。患者は、必ずしも１０種類の症状のすべてに回答する必要はなく、一部の症状のみに回答してもよい。
【００２６】
患者は、図２Ｂに示す症状記録カード１の情報入力面２Ａを初めて使用するときに、スタートボタン３Ａを押圧する。その後、患者は、裏面指定ボタン５Ａを押圧し、症状の度合い該当する選択ボタン６Ａを押圧する。
【００２７】
患者が押圧したスタートボタン３Ａ、取り消しボタン４Ａ、および各選択ボタン６Ａの情報は、症状記録カード１内に内蔵された通信モジュール１０に自動的に記憶される。
【００２８】
ここで、図２Ｂに示す情報入力面２Ａの取り消しボタン４Ａ、および選択ボタン６Ａは第２ボタンを構成する。また、スタートボタン３およびスタートボタン３Ａは、共通ボタンであって、通信モジュール１０を起動させるボタンとなる。
【００２９】
図３は通信モジュール１０の概略構成を示すブロック図である。図３の通信モジュール１０は、紙厚よりも薄い薄膜状であり、フィルム基板１１の上に実装されたＡＳＩＣ（Application Specific Integrated Circuit）１２と、水晶振動子１３と、ボタン電池１４と、スピーカ１５と、フィルム基板１１の長辺に沿って形成される複数のパッド１６と、フィルム基板１１の外縁部に沿って形成されるアンテナパターン１７と、フィルム基板１１上に形成される導電パターン１７ａとを有する。
【００３０】
図３は通信モジュール１０の内部構成を機能化したブロック図であり、実際の各回路部品やパターンの配置やサイズ、形状、個数は任意に変更可能である。
【００３１】
図４はＡＳＩＣ１２の内部構成の一例を示すブロック図である。図４のＡＳＩＣ１２は、患者が押圧したスタートボタン３，３Ａ、取り消しボタン４，４Ａ、各選択ボタン６，６Ａの情報を時刻情報とともに時系列で記憶する記憶部２１と、記憶部２１に押圧情報を記憶するための制御を行う制御部２２と、ホストコンピュータ２５との間で無線通信を行う無線通信部２３とを有する。また制御部２２は、後述のように、表面指定ボタン５が押圧された際、通信モジュール１０に入力される押圧情報は第１ボタン４，６からの押圧情報であり、裏面指定ボタン５Ａが押圧された際、通信モジュール１０に入力される押圧情報が第２ボタン４Ａ，６Ａからの押圧情報である旨、記憶部２１に記憶する。次にホストコンピュータ２５は通信モジュール１０からの信号に基づいて、表面指定ボタン５が押圧された場合、以後の押圧情報はすべて、第１ボタン４，６からの押圧情報であり、裏面指定ボタン５Ａが押圧された場合、以後の押圧情報はすべて第２ボタン４Ａ，６Ａからの押圧情報であると判別する。
【００３２】
記憶部２１は、患者が押圧したボタンを特定する情報と、そのボタンが押圧された時刻情報とを組にして記憶する。取り消しボタン４，４Ａは、取り消しボタン４，４Ａが押圧される直前に押圧されたボタンの情報を取り消すことを意図したものである。ホストコンピュータは、記憶部２１に取り消しボタン４，４Ａの押圧を特定する情報と、そのボタンが押圧された時刻情報とが記憶されている場合は、取り消しボタン４，４Ａの直前に押圧されたボタンの情報を取り消す。
【００３３】
このような取り消しボタン４，４Ａを設けることで、その直前に押圧したボタンの情報を取り消すことができる。実際には、記憶部２１に一度記憶した情報を削除したり、上書きすることはできないが、記憶部２１に誤った情報を記憶してしまったときは、取り消しボタン４を押圧することで、その情報が誤っている旨の情報を追加で記憶する。これにより、ホストコンピュータで読み出したときには、情報が正しいかどうかを簡易かつ正確に判別できる。また、患者は、何度でも、ボタン操作をやり直すことができ、間違いが許されないという精神的な負担から解放される。
【００３４】
無線通信部２３は、ホストコンピュータ２５との間で、いわゆるＮＦＣ（Near Field Communication、近接無線通信）を行って、情報の送受を行う。無線通信部２３が無線通信に用いる方式や周波数帯域は特に制限されるものではなく、例えば13.56MHzの帯域でISO14443に準拠した無線方式で無線通信を行う。
【００３５】
ＮＦＣでは、規格上電力の送受もできるため、電池なしで通信モジュール１０を駆動することも原理的には可能である。ただし、本実施形態の通信モジュール１０は、スピーカ１５も備えており、電力の消費量が比較的大きいため、ボタン電池１４を搭載している。
【００３６】
ボタン電池１４を搭載する以上、長期間使用すると、バッテリ切れを起こすが、本実施形態に係る症状記録カード１は、紙製であることも多く、長期間の使用には耐えられないことから、バッテリ切れを起こしたら、症状記録カード１自体を交換することを念頭に置いている。
【００３７】
次に、本実施形態に係る症状記録カード１の具体的構造について説明する。上述した症状記録カード１は、１枚の紙基板を縦方向に三等分して折り畳んだ三層構造であり、その表面に図２Ａに示す情報入力面としての表面基板３０ａの外面２、およびその裏面に図２Ｂに示す情報入力面としての裏面基板３０ｂの外面２Ａが現れる。これをさらに横方向に三等分して折り畳むと図１に示す構造になる。以下では、大元の１枚の紙基板に形成される導電パターンについて説明する。
【００３８】
図６は症状記録カード１の元となる紙基板３０を展開した図である。図６の紙基板３０を縦方向に三等分した折り目６１で分割した各分割基板３０ａ，３０ｂ，３０ｃには、それぞれ異なる導電パターン１８や切り欠き等が設けられる。なお、これら３つの分割基板３０ａ〜３０ｃは、折り目６１で折り曲げ可能とされており、物理的に切り離されるものではない。
【００３９】
図６の中央の分割基板３０ｂは、最下層に配置されて導電パターン１８が形成される最下層基板（裏面基板ともいう）３０ｂである。その左側の分割基板３０ｃは、主に切り欠き６２が形成され、最下層基板３０ｂの上に配置される中間層基板（スペーサ基板ともいう）３０ｃである。最下層基板３０ｂの右側の分割基板３０ａは、スイッチ接点の導通／遮断を行う導電パターン（導電部ともいう）３８が形成され、中間層基板３０ｃの上に配置される最上層基板（表面基板ともいう）３０ａである。
【００４０】
後述するように、三等分された最下層基板３０ｂに中間層基板３０ｃを折り畳んで熱圧着した後に、その上に最上層基板３０ａを折り畳んで熱圧着することにより、図２Ａおよび図２Ｂに示す構造が得られる。したがって、図６に示す最上層基板３０ａの外面（図６の裏側の面）２が図２Ａに示す情報入力面となり、最下層基板３０ｂの外面（図６の裏側の面）２Ａが図２Ｂに示す情報入力面となる。すなわち、図２Ａおよび図２Ｂに示すように、症状記録カード１は最上層基板３０ａの外面２および最下層基板３０ｂの外面２Ａの２つの情報入力面を有する。
【００４１】
最下層基板３０ｂの上に中間層基板３０ｃを折り畳んで熱圧着する前に、最下層基板３０ｂに通信モジュール１０が接合され、その上に中間層基板３０ｃが熱圧着される。このように、通信モジュール１０は、最下層基板３０ｂと中間層基板３０ｃの間に挟み込まれる。これにより、最下層基板３０ｂの表面に形成された導電パターン１８と通信モジュール１０は、症状記録カード１の完成状態では、外見に現れない。同様に、最上層基板３０ａ上の導電パターンも、中間層基板３０ｃの上に折り畳まれて熱圧着されるため、外見に現れない。
【００４２】
次に、最下層基板３０ｂの表面に形成された導電パターン１８について図６を用いて説明する。図６の導電パターン１８は、最下層基板３０ｂの内面（図６の表側の面）に設けられ、三等分された第１〜第３面２ａ〜２ｃからなる情報入力面２および三等分された第１〜第３面２ａ１〜２ｃ１からなる情報入力面２Ａに対応した最下層基板３０ｂ内面上の第１〜第３パターン面３０ｂ１〜３０ｂ３を有する。
【００４３】
第１パターン面３０ｂ１は、スタートボタン３，３Ａに対応したスイッチ接点３１と、取り消しボタン４，４Ａに対応したスイッチ接点３２とを有する。第２パターン面３０ｂ２および第３パターン面３０ｂ３は、患者の症状および症状の程度を選択する各選択ボタン６，６Ａに対応した計３０個のスイッチ接点３３を有する。
【００４４】
また図６に示すように、第１パターン面３０ｂ１には、表面指定ボタン５に対応したスイッチ接点３５と、裏面指定ボタン５Ａに対応したスイッチ接点３６とが設けられている。上述のように表面指定ボタン５を押圧してスイッチ接点３５を導通させることにより、ホストコンピュータ２５は以後の押圧情報はすべて、第１ボタン４，６からの押圧情報であると判別できる。また、ホストコンピュータ２５は、裏面指定ボタン５Ａを押圧してスイッチ接点３６を導通させることにより、以後の押圧情報はすべて第２ボタン４Ａ，６Ａからの押圧情報であると判別する。
【００４５】
これらスイッチ接点３１〜３６は初期状態で遮断されている。
【００４６】
このように、スイッチ接点３１〜３６は電気的に遮断されており、各スイッチ接点３１〜３３に別の導電パターン３８を接触させることにより、スイッチ接点の状態を切り替えることができる。
【００４７】
図６に示す各スイッチ接点３１〜３６の一端は、導電パターン１８を介して第１パターン面３０ｂ１上の端子部３９の対応する端子に接続され、端子部３９はフレキシブル回路コネクタ９０を介して通信モジュール１０に接続されている。各スイッチ接点３１〜３６の他端はいずれも導電パターン１８を介して接地端子に接続されている。端子部３９には、スイッチ接点の総数分の端子が設けられ、これに加えて、端子部３９の両端側には接地端子が設けられている。接地端子から延びる導電パターン（以下、接地パターン１８ａ）は、第１〜第３パターン面３０ｂ３の外縁に沿って、他の導電パターン１８とスイッチ接点３１〜３６を取り囲むように形成されている。この接地パターン１８ａは、ノイズの低減を図るために、他の導電パターンよりも太く形成されている。
【００４８】
このように、すべてのスイッチ接点３１〜３６が、対応する端子と接地パターン１８ａとの間に接続されている。したがって、いずれかのスイッチ接点の状態が変化すると、その変化した情報が、専用の端子を介して通信モジュール１０に伝達されることになる。通信モジュール１０内の記憶部２１は、接点の状態が変化したスイッチ接点３１〜３６を特定する情報と、スイッチ接点３１〜３６の状態が変化した時刻情報とを記憶する。
【００４９】
ところで、図６に示すように、紙基板３０は最上層基板３０ａと、最下層基板３０ｂと、中間層基板３０ｃとを有し、このうち最下層基板３０ｂは一対の折曲線６４からなる２つの折曲部６４Ａにより３等分して折り畳み可能となっている。また最上層基板３０ａと中間層基板３０ｃは、各々２本の分離部６５を介して３つに分離されている。
【００５０】
なお、最下層基板３０ｂ上に設けられた導電パターン１８および接地パターン１８ａは、配線を構成し、これら導電パターン１８および接地パターン１８ａは最下層基板３０ｂの３つのパターン面３０ｂ１，３０ｂ２，３０ｂ３に渡って延びる。そして、最下層基板３０ｂの２つの折曲部６４Ａにはフレキシブル回路コネクタ８０Ａ，８０Ｂが設けられている。３つのパターン面３０ｂ１，３０ｂ２，３０ｂ３に渡って延びる導電パターン１８および接地パターン１８ａは、この折曲部６４Ａに設けられたフレキシブル回路コネクタ８０Ａ，８０Ｂによって互いに接続されている。
【００５１】
次に最上層基板３０ａの外面２に設けられた各種ボタン３，４，６および最下層基板３０ｂの外面２Ａに設けられた各種ボタン３Ａ，４Ａ，６Ａの平面上の位置関係について述べる。最下層基板３０ｂ上に中間層基板３０ｃを介して最上層基板３０ａを重ね合わせた状態で、最上層基板３０ａの外面２に設けられたスタートボタン３、取り消しボタン４、表面指定ボタン５、および選択ボタン６は、各々最上層基板３０ａの内面に設けられた導電部３８を介して、最下層基板３０ｂの内面に設けられた導電パターン１８のスイッチ接点３１，３２，３５，３３に重なり合う位置にくる。同様に最下層基板３０ｂの外面２Ａに設けられたスタートボタン３Ａ、取り消しボタン４Ａ、裏面指定ボタン５Ａ、および選択ボタン６Ａは、各々最下層基板３０ｂの内面に設けられた導電パターン１８のスイッチ接点３１，３２，３６，３３および対応する導電部３８に重なり合う位置にくる。
【００５２】
このため最上層基板３ａの外面（情報入力面）２に設けられたボタン３，４，５，６を押圧することにより、導電部３８を介して対応するスイッチ接点３１，３２，３５，３３を導通させることができる。
【００５３】
同様に最下層基板３ｂの外面（情報入力面）２Ａに設けられたボタン３Ａ，４Ａ，５Ａ，６Ａを押圧することにより、導電部３８を介して対応するスイッチ接点３１，３２，３６，３３を導通させることができる。
【００５４】
次にこのような構成からなる本実施の形態の作用について説明する。
【００５５】
図５は図１の症状記録カード１の使用手順の一例を示すフローチャートである。まず、病院の医師または医療関係者は、処方箋に従って所定の薬が組み込まれた症状記録カード１を、ホストコンピュータ２５に接続されたリーダ（図示せず）にかざして、症状記録カード１を初期化した後に、症状記録カード１内の記憶部２１に患者を特定する情報を記憶する（ステップＳ１）。
【００５６】
その後、症状記録カード１を患者に手渡す（ステップＳ２）。患者は、症状記録カード１を開いて、まずスタートボタン３を押圧し（ステップ３）、次に、表面指定ボタン５を押圧する（ステップ４）。このとき、通信モジュール１０の制御部２２は、以後の押圧情報は、すべて最上層基板３ａの外面（情報入力面）２に設けられた第１ボタン４，６からの押圧情報である旨、記憶部２１に記憶する。次に、通信モジュール１０は記憶部２１内の「以後の押圧情報は、すべて最上層基板３ａの外面（情報入力面）２に設けられた第１ボタン４，６からの押圧情報である旨」の情報をホストコンピュータ２５へ送り、ホストコンピュータ２５は、通信モジュール１０からの信号に基づいて、以後の押圧情報はすべて第１ボタン４，６からの押圧情報であると判別する。
【００５７】
患者は、次に該当する症状の度合いに対応する選択ボタン６を押圧する（ステップＳ５）。
【００５８】
患者が押圧したスタートボタン３や、選択ボタン６の押圧情報は、時刻情報とともに、通信モジュール１０の記憶部２１に自動的に記憶される。また、スタートボタン３や選択ボタン６を押し間違えたときは、その直後に取り消しボタン４を押圧することで、直前の押圧情報が間違いであることを示す情報が記憶部２１に記憶される。これにより、事実上、間違ったボタン操作を取り消すことができる。
【００５９】
患者は、次の診療時に、症状記録カード１を病院に手持ちする（ステップＳ６）。そして、病院の医師または医療関係者は、患者から症状記録カード１を受け取って、ホストコンピュータに接続されたリーダにかざして、症状記録カード１の記憶部２１に記憶された情報をホストコンピュータに読み込んで、画面に表示する（ステップＳ７）。医師は、画面に表示された症状記録カード１に記憶された情報を見ながら、患者の症状を確認して、患者の診察を行う（ステップＳ８）。
【００６０】
このように、症状記録カード１は、患者が薬を服用した後に、患者がどのような症状を覚えたかを逐一記憶しているため、医師は、患者の記憶に頼らずに、患者の症状を正確かつ具体的に時系列的に把握でき、患者の治療を的確に行うことができ、誤診も防止できる。
【００６１】
次に最下層基板３ｂの外面（情報入力面）２Ａに設けられたボタン３Ａ，４Ａ，６Ａを操作する場合の作用について述べる。まず患者はスタートボタン３Ａを押圧し（ステップＳ３）、次に裏面指定ボタン５Ａを押圧する（ステップ４）。このとき通信モジュール１０の制御部２２は、以後の押圧情報は、最下層基板３ｂの外面（情報入力面）２Ａに設けられた第２ボタン４Ａ，６Ａからの押圧情報である旨、記憶部２１に記憶する。次に、通信モジュール１０は記憶部２１内の「以後の押圧情報は、最下層基板３ｂの外面（情報入力面）２Ａに設けられた第２ボタン４Ａ，６Ａからの押圧情報である旨」の情報をホストコンピュータ２５に送り、ホストコンピュータ２５は、通信モジュール１０からの信号に基づいて、以後の押圧情報はすべて第２ボタン４Ａ，６Ａからの押圧情報であると判別する。
【００６２】
患者は、次に、該当する症状の度合いに対応する選択ボタン６Ａを押圧する（ステップＳ５）。
【００６３】
患者が押圧したスタートボタン３Ａや、選択ボタン６Ａの押圧情報は、時刻情報とともに、通信モジュール１０の記憶部２１に自動的に記憶される。また、スタートボタン３Ａや選択ボタン６Ａを押し間違えたときは、その直後に取り消しボタン４Ａを押圧することで、直前の押圧情報が間違いであることを示す情報が記憶部２１に記憶される。これにより、事実上、間違ったボタン操作を取り消すことができる。
【００６４】
患者は、次の診療時に、症状記録カード１を病院に手持ちする（ステップＳ６）。そして、病院の医師または医療関係者は、患者から症状記録カード１を受け取って、ホストコンピュータに接続されたリーダにかざして、症状記録カード１の記憶部２１に記憶された情報をホストコンピュータに読み込んで、画面に表示する（ステップＳ７）。医師は、画面に表示された症状記録カード１に記憶された情報を見ながら、患者の症状を確認して、患者の診察を行う（ステップＳ８）。
【００６５】
このように本実施の形態によれば、症状記録カード１の最上層基板３ａの外面２にスタートボタン３、取り消しボタン４および選択ボタン６を設けることができ、かつ最下層基板３ｂの外面２Ａにスタートボタン３Ａ、取り消しボタン４Ａおよび選択ボタン６Ａを設けることができる。このように症状記録カード１の最上層基板３ａの外面２および最下層基板３ｂの外面２Ａの双方を用いて多数のスタートボタン３，３Ａ、取り消しボタン４，４Ａおよび選択ボタン６，６Ａを設置することができ、このことにより  異なる種類のボタンを有する複数の症状記録カード１を作製する必要はない。
【００６６】
また最上層基板３ａの外面２に設置されたボタンからの押圧情報と、最下層基板３ｂの外面２Ａに設置されたボタンからの押圧情報は、表面指定ボタン５および裏面指定ボタン５Ａのいずれを押圧するだけで切り換え可能となっているため、押圧情報の切り換え作業を簡単な構造で容易に行うことができる。
【００６７】
なお、上記実施の形態において、最上層基板３ａの外面２に表面指定ボタン５を設け、最下層基板３ｂの外面２Ａに裏面指定ボタン５Ａを設けた例を示したが、最上層基板３ａの外面２のみに表面指定ボタン５を設け、裏面指定ボタン５Ａは必ずしも設ける必要はない。
【００６８】
この場合は、表面指定ボタン５の押圧情報のみで、最上層基板３ａの外面２に設けられたボタンとからの押圧情報と、最下層基板３ｂの外面２Ａに設けられたボタンからの押圧情報を切り換えることができる。
【符号の説明】
【００６９】
１  症状記録カード
２，２Ａ  情報入力面
３，３Ａ  スタートボタン
４，４Ａ  取り消しボタン
５  表面指定ボタン
５Ａ  裏面指定ボタン
６，６Ａ  選択ボタン
１０  通信モジュール
１１  フィルム基板
１２  ＡＳＩＣ
１３  水晶振動子
１４  ボタン電池
１５  スピーカ
１６  パッド
１７  アンテナパターン
１８  導電パターン
１８ａ  接地パターン
２２  制御部
３０  紙基板
３０ａ，３０ｂ，３０ｃ  分割基板
３０ｂ１  第１パターン面
３０ｂ２  第２パターン面
３０ｂ３  第３パターン面
３１〜３６  スイッチ接点
３９  端子部
【図１】
2020057486.tif 000003
【図２Ａ】
2020057486.tif 000004
【図２Ｂ】
2020057486.tif 000005
【図３】
2020057486.tif 000006
【図４】
2020057486.tif 000007
【図５】
2020057486.tif 000008
【図６】
2020057486.tif 000009